(57)【特許請求の範囲】
【請求項１】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、前記第２のファイルの一部又は全てが消去又は破壊されており、
前記端末は、前記修復情報に基づき、前記デジタルバーサタイルディスクの前記第２のファイルを修復する手段を備え、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項２】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、前記第１のファイルのヘッダ又は前記第１のファイル内の情報が消去又は破壊されており、
前記端末は、前記修復情報に基づき、前記デジタルバーサタイルディスクの前記第１のファイルのヘッダ又は情報を修復する手段を備え、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項３】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、前記第２のファイルがサイズ「０」のファイルとして記憶されており、
前記端末は、前記修復情報に基づき、前記デジタルバーサタイルディスクの前記第２のファイルを修復する手段を備え、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項４】
映像及び音声の各情報が格納される第１のファイルを有し、前記第１のファイルの情報の再生制御情報が格納される第２のファイルを有していない、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記端末は、前記修復情報に含まれる前記第２のファイルに基づき、前記デジタルバーサタイルディスクの情報を再生し、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項５】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、前記第１のファイル又は前記第２のファイルが規格外のディレクトリーに置かれており、
前記端末は、前記修復情報に基づき、前記デジタルバーサタイルディスクの前記第１のファイル又は前記第２のファイルが置かれるディレクトリーを正規の論理フォーマットに修復する手段を備え、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項６】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、前記第１のファイル又は前記第２のファイルルのファイル名が正規でないファイル名となっており、
前記端末は、前記修復情報に基づき、前記デジタルバーサタイルディスクの前記第１のファイル又は前記第２のファイルのファイル名を正規のファイル名に修復する手段を備え、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項７】
映像及び音声の各情報が格納される第１のファイルと前記第１のファイルの情報の再生制御情報が格納される第２のファイルとを有し、常時は情報の再生が不可のデジタルバーサタイルディスクと、
ネットワークに接続され、かつ前記デジタルバーサタイルディスクが挿入される端末と、
前記ネットワークに設けられるとともに、前記デジタルバーサタイルディスクの情報の修復を可能にする修復情報を有し、端末のデジタルバーサタイルディスクの利用時に端末からデジタルバーサタイルディスクの情報の再生要求を受信すると、端末へ前記修復情報を返送し前記デジタルバーサタイルディスクの情報を再生させるサーバとを備え、
前記デジタルバーサタイルディスクは、一部の前記第１のファイルを参照する前記第２のファイルを記憶しており、
前記端末は、前記修復情報に含まれる前記第２のファイルに基づき、前記デジタルバーサタイルディスクの前記一部以外の前記第１のファイルを再生し、
前記サーバは、第１及び第２のサーバからなり、
前記第１のサーバは、前記端末を利用して教科の学習を行う生徒の識別情報と前記教科の進捗情報とが対に登録されるデータベースを有し、かつ前記教科の各ページの内容が格納された第１のメモリを有するとともに、
前記第２のサーバは、端末の再生要求時に出力される再生指定情報に関連づけて前記修復情報と前記デジタルバーサタイルディスクの再生位置情報とが対に登録された第２のメモリを有し、
前記第１のサーバは、生徒の学習時には前記データベースの前記生徒の識別情報に応じた進捗情報により指定される前記第１のメモリのページ内容を端末へ送信し表示させるとともに、端末からの再生要求時に出力される前記再生指定情報を受信するとこの再生指定情報を前記第２のサーバへ出力して第２のメモリ内の前記再生指定情報に応じた修復情報及びデジタルバーサタイルディスクの再生位置情報を前記端末へ送信させ、前記端末によるデジタルバーサタイルディスクの情報の再生を可能にすることを特徴とするサービスシステム。
【請求項８】
前記端末は、
前記デジタルバーサタイルディスクの情報を再生するプレーヤと、
前記プレーヤにより再生されたデジタルバーサタイルディスクの情報を前記修復情報に基づいて修復する再生補助手段と、
前記修復情報及び再生位置情報を受信すると受信した修復情報を前記再生補助手段へ送出し、かつ受信した再生位置情報に基づき前記再生補助手段及びプレーヤに対してデジタルバーサタイルディスクの再生を指示するとともに、前記再生補助手段の修復出力に基づいて前記デジタルバーサタイルディスクの第１のファイルの再生情報を表示する再生手段とを備えたことを特徴とする請求項１乃至７のいずれか１項に記載のサービスシステム。
【請求項９】
前記第２のサーバは、
前記デジタルバーサタイルディスクの情報の再生制御を行う第１及び第２の再生制御手段を有し、
前記第２のサーバは、端末からのデジタルバーサタイルディスクの情報の再生要求時に第１のサーバから出力される前記端末の認証情報に応じて前記第２の再生制御手段を前記端末に取得させるとともに、前記端末により取得された第２の再生制御手段は前記再生指定情報を第１の再生制御手段へ送信し、
前記第１の再生制御手段は、前記再生指定情報を受信するとこの再生指定情報に応じた第２のメモリの修復情報を前記第２の再生制御手段へ送出して第２の再生制御手段を介し前記再生手段へ送出させるとともに、この修復情報の送出後に第２の再生制御手段は第１の再生制御手段に対し前記再生位置情報の送出要求を行い、
前記第１の再生制御手段は、前記送出要求を受信すると前記再生指定情報に応じた第２のメモリの再生位置情報を第２の再生制御手段へ送出して第２の再生制御手段を介し再生手段へ送出させることを特徴とする請求項８記載のサービスシステム。
【請求項１０】
前記第２の再生制御手段は、前記再生指定情報に応じた再生にのみ使用される揮発性再生制御オブジェクトであることを特徴とする請求項９記載のサービスシステム。
【請求項１１】
前記デジタルバーサタイルディスクの利用に対して課金する課金手段を備えたことを特徴とする請求項１乃至１０のいずれか１項に記載のサービスシステム。
【発明の詳細な説明】
【０００１】
【発明の属する技術分野】
本発明は、デジタルバーサタイルディスク（ＤＶＤ：Ｄｉｇｉｔａｌ  Ｖｅｒｓａｔｉｌｅ  Ｄｉｓｃ）を利用したサービスシステムに関する。
【０００２】
【従来の技術】
この種のサービスシステムとしてインターネットを利用した学習システムが知られている。
この学習システムは、ＣＤ（Ｃｏｍｐａｃｔ  Ｄｉｓｃ）−ＲＯＭを教材として配布し、配布した教材についての添削指導、質問応答及び学習結果の管理などをインターネットを介して行うものである。
生徒は購入したＣＤ−ＲＯＭを自身のパソコン（以下、ＰＣ）に挿入して、インターネットに接続し、インターネット上に配置されている該当Ｗｅｂサーバをアクセスすると、サーバ側からの指示によりＣＤ−ＲＯＭの記憶情報が再生されてその再生情報がＰＣ上に表示され、その再生情報等に基づき質問応答、添削指導等の個別学習が行われる。
【０００３】
【発明が解決しようとする課題】
このような学習システムで利用されるＣＤ−ＲＯＭは記憶容量が小さく限られた情報しか記憶できない。このため、充分な学習効果が得られないことから、記憶容量の大きなＤＶＤ（Ｄｉｇｉｔａｌ  Ｖｅｒｓａｔｉｌｅ  Ｄｉｓｃ）を学習システムの教材として使用することが検討されている。
したがって、本発明は、学習システム等のサービスシステムにおいてＤＶＤの利用を可能にすることを目的とする。
【０００４】
【課題を解決するための手段】
このような課題を解決するために本発明は、映像及び音声の各情報が格納される第１のファイル（ＶＯＢファイル）と第１のファイルの情報の再生制御情報が格納される第２のファイル（ＩＦＯファイル）とを有し、常時は情報の再生が不可のＤＶＤと、インターネット（ネットワーク）に接続されかつＤＶＤが挿入されるＰＣと、インターネットに設けられるとともに、前記ＤＶＤの情報の修復が可能な修復情報を有し、ＰＣのＤＶＤの利用時にＰＣからＤＶＤの情報の再生要求を受信すると、ＰＣへ修復情報を返送しＤＶＤの情報を再生させるサーバとを設けたものである。
また、サーバは、第１及び第２のサーバ（サーバ１，２）からなり、第１のサーバは、ＰＣを利用して教科の学習を行う生徒の識別情報と教科の進捗情報とが対に登録されるデータベース（３Ａ）を有し、かつ教科の各ページの内容が格納された第１のメモリ（１２）を有するとともに、第２のサーバは、ＰＣのＤＶＤ情報の再生要求時に出力される再生指定情報（再生クリップ名）に関連づけて修復情報とＤＶＤの再生制御指示情報とが対に登録された第２のメモリ（２２）を有し、第１のサーバは、生徒の学習時にはデータベースの生徒の識別情報に応じた進捗情報により指定される第１のメモリのページ内容をＰＣへ送信し表示させるとともに、ＰＣからのＤＶＤの情報の再生要求時に出力される再生指定情報を受信するとこの再生指定情報を第２のサーバへ出力して第２のメモリ内の前記再生指定情報に応じた修復情報及びＤＶＤの再生制御指示情報をＰＣへ送信させ、ＰＣによるＤＶＤの情報の再生を可能にしたものである。
【０００５】
また、ＰＣは、ＤＶＤの情報を再生するプレーヤ（７Ｃ）と、プレーヤにより再生されたＤＶＤ情報を修復情報に基づいて修復する再生補助手段（７Ａ）と、修復情報及び再生制御指示情報を受信すると受信した修復情報を再生補助手段へ送出し、かつ受信した再生制御指示情報に基づき再生補助手段及びプレーヤに対してＤＶＤの再生を指示するとともに、再生補助手段の修復出力に基づいてＤＶＤの第１のファイルの再生情報を表示する再生手段（７Ｂ）とを設けたものである。
また、第２のサーバは、ＤＶＤの情報の再生制御を行う第１及び第２の再生制御手段（２Ａ，２Ｂ）を有し、第２のサーバは、ＰＣからのＤＶＤの情報の再生要求時に第１のサーバから出力されるＰＣの認証情報に応じて第２の再生制御手段をＰＣに取得させるとともに、第２の再生制御手段は再生指定情報を第１の再生制御手段へ送信し、第１の再生制御手段は、再生指定情報を受信するとこの再生指定情報に応じた第２のメモリの修復情報を第２の再生制御手段に取得させて再生手段へ送出させるとともに、この修復情報の送出後に第２の再生制御手段は第１の再生制御手段に対し再生制御指示情報の送出要求を行い、第１の再生制御手段は、前記送出要求を受信すると前記再生指定情報に応じた第２のメモリの再生制御指示情報を第２の再生制御手段に取得させて再生手段へ送出させるようにしたものである。
また、ＤＶＤの利用に対して課金する課金手段を設けたものである。
【０００６】
【発明の実施の形態】
以下、本発明について図面を参照して説明する。
図１は、本発明のＤＶＤを使用したサービスシステムの第１の実施の形態を示すブロック図であり、インタネットを利用した学習システムに適用したものである。
図１において、本学習システムは、インターネット５上にサーバ１及びサーバ２が配置され、サーバ１は各種の情報を格納するデータベース３を収容するとともに教師の作成した教科書等を格納し、サーバ２は、後述のＤＶＤ（Ｄｉｇｉｔａｌ  Ｖｅｒｓａｔｉｌｅ  Ｄｉｓｃ）の再生制御を行うものである。
また、前記インターネット５には、生徒側が用いる端末であるクライアントＰＣ（以下、ＰＣ）７が接続され、ＰＣ７には内部に映像情報や音声情報等が格納された生徒の教材としてのＤＶＤ８が挿入される。
【０００７】
図２（ａ）〜（ｃ）は、それぞれ本学習システムを構成する前記サーバ２，サーバ１，データベース３及びＰＣ７の各ハードウェア構成を示すブロック図である。
サーバ２は、図２（ａ）に示すようにＣＰＵ等からなる制御部２１、制御部２１が実行するソフトウェアや各種のデータが格納されるメモリ２２、インターネット５を介して情報の伝送を行うための通信Ｉ／Ｆ２３からなる。
また、サーバ１は、図２（ｂ）に示すように制御部１１，メモリ１２及び通信Ｉ／Ｆ１３を有し、後述の生徒情報データベース３Ａ及び進捗・再生情報データベース３Ｂを有するデータベース３に接続される。
また、ＰＣ７は、図２（ｃ）に示すように制御部７１，メモリ７２，ＤＶＤＩ／Ｆ７３，通信Ｉ／Ｆ７４，表示部７５及びキーボード等の操作部７６からなる。
【０００８】
また、前記ＤＶＤ８のフォーマットは、図７（ａ）に示すようにＶＭＧ（Ｖｉｄｅｏ  Ｍａｎａｇｅｒ）、ＶＴＳ（Ｖｉｄｅｏ  Ｔｉｔｌｅ  Ｓｅｔ）＃１〜＃ｎ及び、ＭＰＥＧ２プログラムストリームからなる。このうちＭＰＥＧ２プログラムストリームは映像及び音声等のストリームデータでありＶＯＢ（Ｖｉｄｅｏ  Ｏｂｊｅｃｔ）ファイルと呼ばれている。また、ＶＭＧとＶＴＳ＃１〜＃ｎはＩＦＯファイルと呼ばれ、ＶＯＢファイルをアクセスするための制御情報が格納される。このようなＩＦＯファイル及びＶＯＢファイルはＤＶＤ−Ｖｉｄｅｏを構成する拡張子により指定される。
本発明の第１の実施の形態では、ＩＦＯファイルの一部または全てが消去（または破壊）されるか、またはＶＯＢファイルのヘッダが消去（または破壊）された不完全なＤＶＤ８を生徒側へ教材として有料で配布する。このＤＶＤ８は、通常の再生プレーヤでは再生できず、後述するようにサーバ側からの修復情報によってはじめて再生可能になる。
【０００９】
次に上記学習システムを構成する各部のソフトウェア構成について説明する。生徒が使用するＰＣ７の制御部７１により実行されるソフトウェアとしては、インターネット５上の各サーバのホームページ（後述のＷｅｂページ）を閲覧するためのインターネットブラウザがメモリ７２に格納されていることは勿論であるが、この他に、ＤＶＤ８の情報を再生するための、図３（ａ）に示す再生補助ソフトウェア７Ａ、再生オブジェクト７Ｂ及びＤＶＤプレーヤ７Ｃがメモリ７２にインストールされている。ここで、再生補助ソフトウェア７Ａは、消去または破壊されたＤＶＤ８のＩＦＯファイル及びＶＯＢファイルの修復機能を有する。また、再生オブジェクト７Ｂは、前記インターネットブラウザの実行によるサーバ２からの指示により再生補助ソフトウェア７Ａへ修復情報を渡してＤＶＤ８のファイルの消去（破壊）部分の修復を行わせるとともに、再生されたＤＶＤ８の情報を表示部７５へ表示する機能を有する。また、ＤＶＤプレーヤ７Ｃは再生オブジェクト７Ｂからの指示に基づきＤＶＤ８の情報を再生する機能を有する。
【００１０】
次に、サーバ１のメモリ１２には、図３（ｂ）に示すように、Ｗｅｂページ１Ｂが設けられ、Ｗｅｂページ１Ｂには教師の作成した教科書が格納されている。Ｗｅｂページ１Ｂに格納されている教科書は、ＰＣ７のインターネットブラウザの実行によりＰＣ７に読み込まれてＰＣ７の表示部７５に表示される。
また、サーバ１に接続されるデータベース３には、前述した生徒情報データベース３Ａ及び進捗・再生情報データベース３Ｂが設けられている。ここで、生徒情報データベース３Ａは、生徒の識別情報（生徒のＩＤ）と各教科の進捗ページ（前記教科書の進捗ページ）とが関連づけられて登録されたテーブルを有している。また、進捗・再生情報データベース３Ｂは、各教科毎の進捗ページと後述する再生クリップ名とが関連づけられて登録されたテーブルと、Ｗｅｂページ１Ｂの教科書のページとＤＶＤ８の再生位置とが関連づけらて登録されたテーブルとを有している。
【００１１】
また、サーバ１の制御部１１により実行されるソフトウェアとしては、図３（ｂ）に示すようなセキュリティ・ゲート１Ａが設けられ、セキュリティ・ゲート１Ａは、Ｗｅｂページ１Ａ内の不許可の教科書ページのＰＣ７による閲覧を禁止する機能を有するとともに、ＰＣ７へＷｅｂページ１Ａ内の教科書の適切なページ内容を送信する機能を有する。
【００１２】
次に、サーバ２のソフトウェアとしては、図３（ｃ）に示すようなサーバ側再生制御オブジェクト２Ａ及びクライアント側再生制御オブジェクト２Ｂが設けられている。サーバ側再生制御オブジェクト２Ａは、制御部２１により実行され、ＤＶＤ８の修復情報及びＤＶＤ８の再生制御情報（再生開始情報）をクライアント側再生制御オブジェクト２Ｂに渡す機能を有している。クライアント側再生制御オブジェクト２Ｂは、ＰＣ７のインターネットブラウザの実行によるＷｅｂページの指示でＰＣ７に読み込まれて実行されるソフトウェアであり、前記Ｗｅｂページの指示に基づきサーバ側再生制御オブジェクト２ＡからＤＶＤ８の修復情報を入力してＰＣ７の再生オブジェクト７Ｂへ渡す機能を有している。
また、サーバ２のメモリ２２には、ＤＶＤ８のＩＦＯファイルの修復情報及びＶＯＢファイルの修復情報等の修復情報２Ｃが格納されているとともに、格納された各修復情報２Ｃに対応して各再生クリップ名とＤＶＤ８の再生位置情報と対に登録されたデータベース２Ｄを有している。
【００１３】
さて、以上のように構成された学習システムの動作を図４〜図６のシーケンス図に基づいて説明する。まず、図４のシーケンス図に示す動作から説明する。
生徒のインターネットを利用した学習に先立ち、サーバ１は予め自身の認証情報をサーバ２へ送信する（ステップＳ１）。すると、サーバ２はサーバ１を認証してメモリ２２に登録し（ステップＳ２）、かつサーバ１に対し登録完了通知を行うとともに、メモリ２２に格納されているＤＶＤ８の再生情報（各教科の各ページと対応の各再生クリップ名とからなる情報）をサーバ１へ通知する（ステップＳ３）。サーバ１ではその再生情報を受信して進捗・再生情報データベース３Ｂの前記テーブルに登録して保管する（ステップＳ４）。
【００１４】
以上のような前提を経た後、生徒が自身のＰＣ７をインターネット５に接続しサーバ１にログインすると（ステップＳ５）、生徒番号（生徒ＩＤ）及び生徒のパスワードがサーバ１へ送信される（ステップＳ６）。この場合、サーバ１では受信した生徒番号及びパスワードが生徒情報データベース３Ａ内に登録されているか否かを判断し、登録されている場合は正規な生徒であると認証する（ステップＳ７）。
【００１５】
正規な生徒であると認証すると、サーバ１はその生徒により学習されるべき各科目（教科）が画面上に順に並べられた初期ページ画面をＰＣ７へ送信してＰＣ７の表示部７５に表示させる（ステップＳ８）。生徒はＰＣ７に表示されている初期ページ画面の中から所望の科目を選択する（ステップＳ９）。すると、その選択情報がサーバ１へ送信される（ステップＳ１０）。サーバ１のセキュリティ・ゲート１Ａでは、前記選択情報を受信すると、生徒情報データベース３Ａ内のテーブルを参照して前記生徒番号及び前記生徒の前記選択情報で示される科目の進捗ページを抽出し（ステップＳ１１）、Ｗｅｂページ１Ｂに格納されている対応科目の教科書の前記進捗ページで示される画像情報等のページ内容をＰＣ７へ送信して表示させる（ステップＳ１２）。こうして生徒の選択した科目の進捗ページの内容がＰＣ７に画面及び音声として表示されることにより、生徒側の選択教科の学習が開始される（ステップＳ１４）。なお、このとき生徒はＰＣ７にＤＶＤ８を挿入する（ステップＳ１３）。
【００１６】
そして、ＰＣ７に画面表示されている該当教科の内容について、例えば教師側（即ち、サーバ１側）からの質問に対して生徒側（即ち、ＰＣ７側）からの解答が行われることにより学習が進められる。サーバ１のセキュリティ・ゲート１Ａは、生徒側からの解答が正解である場合は次ページへの進捗を許容し、その結果、その教科の次ページの内容がサーバ１側からＰＣ７へ送られＰＣ７上に同様に画面や音声として表示され、そのページ内容についての学習が同様に進められる。このようにして選択した科目の学習が順次進められ、学習が終了すると、その該当選択科目の教科書の学習中ページが進捗ページとして生徒情報データベース３Ａの該当生徒番号に対応して登録され、次回の学習時にそのページの内容から学習が再開される。
【００１７】
ここで、生徒が現在学習中の教科書ページの表示画面中の欠落部分をＤＶＤ８の情報により補う必要が生じてその欠落部分をクリックすると、ＤＶＤ再生要求がＰＣ７からサーバ１へ送信される（ステップＳ１５）。
ＰＣ７からＤＶＤ再生要求が送信されると、サーバ１は図５のステップＳ１６でサーバ２へ生徒のＰＣ認証情報を通知する。サーバ２は図４のステップＳ２で既に登録され認証されているサーバ１からの要求であることを認識して、そのサーバ１から通知された生徒のＰＣ認証情報を登録する（ステップＳ１７）。そして、その際にサーバ２は、クライアント側再生制御オブジェクト２ＢのＵＲＬ（Ｕｎｉｆｏｒｍ  Ｒｅｓｏｕｒｃｅ  Ｌｏｃａｔｅｒ；サーバ２での所在地（アドレス））を生徒の認証登録完了としてサーバ１へ通知する（ステップＳ１８）。
【００１８】
サーバ１は、サーバ２からクライアント側再生制御オブジェクト２ＢのＵＲＬ通知が行われると、予めサーバ２から通知されステップＳ４で再生クリップ名が保管されている進捗・再生情報データベース３Ｂを参照して、ＰＣ７から送信されている前記ＤＶＤ再生要求に応じた再生クリップ名を取り出しクライアント側再生制御オブジェクト２Ｂのパラメータとして付与し（ステップＳ１９）、これを再生ページとしてＰＣ７へ通知する（ステップＳ２０）。すると、ＰＣ７では通知された再生ページの記述にしたがってクライアント側再生制御オブジェクト２Ｂの取得をサーバ２へ要求する（ステップＳ２１、ステップＳ２２）。これによりＰＣ７側でクライアント側再生制御オブジェクト２Ｂが取得される。この取得したクライアント側再生制御オブジェクト２Ｂは、当該教科書ページの当該再生クリップ名に応じた位置にＤＶＤ８の再生情報を表示する時にのみ使用され、新たな再生クリップ名に応じた位置にＤＶＤ８の再生情報を表示する時には、新たな再生制御オブジェクトを取得しなければならないため、揮発性再生制御オブジェクトと呼ばれる。
【００１９】
こうして、ＰＣ７は、サーバ２からクライアント側再生制御オブジェクト２Ｂを取得した後、再生オブジェクト７Ｂを起動する（ステップＳ２３）。また、ＰＣ７は取得したクライアント側再生制御オブジェクト２Ｂを実行することにより、このオブジェクト２Ｂにパラメータとして付与された再生クリップ名を読み込む（ステップＳ２４）。そして、読み込んだ再生クリップ名をサーバ２へ送る（ステップＳ２５）。
【００２０】
サーバ２では、再生クリップ名が送られてくると、サーバ側再生制御オブジェクト２Ａを実行して（ステップＳ２６）、その再生クリップ名を受信しデータベース２Ｄを参照してその再生クリップ名に相当する例えば修復ＩＦＯ情報２Ｃをメモリ２２から取り出してＰＣ７側へ送る（ステップＳ２７）。すると、ＰＣ７では以下のような処理をステップＳ２８で行う。
即ち、ＰＣ７では取得したクライアント側再生制御オブジェクト２Ｂの実行により、サーバ２からの修復ＩＦＯ情報を取得し、再生オブジェクト７Ｂへ渡す。すると、再生オブジェクト７Ｂはその修復ＩＦＯ情報を再生補助ソフトウェア７Ａへ渡し、再生補助ソフトウェア７Ａはその修復ＩＦＯ情報を登録すると登録完了を再生オブジェクト７Ｂへ通知する。この修復ＩＦＯ情報の登録完了はさらに再生オブジェクト７Ｂからクライアント側再生制御オブジェクト２Ｂへ通知される。
【００２１】
クライアント側再生制御オブジェクト２Ｂは再生オブジェクト７Ｂからの修復ＩＦＯ情報の登録完了通知を受信すると、この登録完了通知をサーバ２のサーバ側再生制御オブジェクト２Ａへ通知する（ステップＳ２９）。
この修復ＩＦＯ情報の登録完了が通知されると、サーバ２のサーバ側再生制御オブジェクト２Ａは、図６のステップＳ３０において、データベース２Ｄ内の既に図７のステップＳ２５で受信済みの再生クリップ名に応じたＤＶＤ８の再生位置情報を、ＰＣ７の再生オブジェクト７Ｂにより実行される再生制御指示情報（再生開始指示情報）としてＰＣ７へ送信する（ステップＳ３１）。
【００２２】
再生制御指示情報がサーバ２からＰＣ７へ送信されると、ＰＣ７ではステップＳ３２で以下のような処理を行う。即ち、クライアント側再生制御オブジェクト２Ｂの実行により、サーバ２からの再生制御指示情報が取得され、その取得された情報が再生オブジェクト７Ｂに渡され、再生オブジェクト７ＢによってＤＶＤプレーヤ７Ｃ及び再生補助ソフトウェア７Ａに対しＤＶＤ８の再生が指示されるとともに、再生補助ソフトウェアＡに再生制御指示情報が渡される。ここで、ＤＶＤ８の再生開始あたってはＤＶＤプレーヤ７ＣによりＤＶＤ８の変形ＩＦＯファイルが再生される。
【００２３】
ＤＶＤプレーヤ７ＣによりＤＶＤ８の変形ＩＦＯファイルが再生されると、再生補助ソフトウェア７Ａはこの再生情報を、前記再生制御指示情報及び登録された修復ＩＦＯ情報にしたがって修復可能な情報に変換し（ステップＳ３３）、再生オブジェクト７へ送出する。これにより、再生オブジェクト７Ｂは変形ＩＦＯファイルを正常なＩＦＯファイルと認識し、以降ＤＶＤプレーヤ７Ｃにより前記ＩＦＯファイルに続いて再生された映像信号を表示部７５の表示画面の欠落部分に表示する再生処理を行う（ステップＳ３４）。こうして表示画面の欠落部分に相当する映像信号が再生され表示されることにより学習が続行される。
【００２４】
そして、そのページの学習が終了して次ページの学習が開始され、同様にそのページの表示画面中の欠落部分をＤＶＤ８の情報により補う必要が生じた場合は同様にその欠落部分をクリックする。すると、図５のステップＳ１５へ戻ってＰＣ７からサーバ１へ同様にＤＶＤ再生要求が送られ、同様に図５のステップＳ１６以降の各ステップの処理及び図６の各ステップの処理が行われる。この際にはＰＣ７では前回のクライアント側再生制御オブジェクトとは異なる、新たなページの欠落部分をＤＶＤ８から再生するためのクライアント側再生制御オブジェクトを取得し、この新たなクライアント側再生制御オブジェクトの実行により、ＤＶＤ８の映像信号が再生されて表示部７５の表示画面の欠落部分に表示される再生処理が行われる（ステップＳ３４）。
【００２５】
こうして、選択された教科の各ページの学習が順次進められ、ＰＣ７における生徒の学習が終了すると（ステップＳ３５）、サーバ１へ学習終了が通知され（ステップＳ３６）、この学習終了の通知によりサーバ１は、データベース３内の進捗・再生情報データベース３Ｂをアクセスして、該当生徒番号に応じた進捗情報（選択された教科のページ）を更新（ステップＳ３７）し処理を終了する。
【００２６】
このように、本学習システムは、記憶容量の大きなＤＶＤ８を教材として使用できるようにしたものである。この結果、十分な学習効果を得ることができる。また、ＤＶＤ８の生徒側への提供の際に予めＤＶＤ８のＩＦＯファイルを消去（または破壊）して不完全なものとして提供し、生徒のＤＶＤ８の利用の際にはサーバ側から修復ＩＦＯ情報を送信し、この修復ＩＦＯ情報によりＤＶＤ８の情報の再生を可能にしたものである。したがって、生徒側へ例えば有料で配布された前記ＤＶＤ８は、通常のプレーヤでは再生不可となることから、このＤＶＤ８の第三者による不法な利用を阻止でき、本システムを提供する提供者の不利益を防止することができる。
【００２７】
なお、上述した第１の実施の形態では、予めＰＣ７に再生補助ソフトウェア７Ａ及び再生オブジェクト７Ｂを設けているが、ＤＶＤ８がＰＣ７にセットされたときにサーバ１からこれら再生補助ソフトウェア７Ａ及び再生オブジェクト７ＢをＰＣ７へダウンロードしＰＣ７のメモリに格納させるようにしても良い。また、ＤＶＤ８に再生補助ソフトウェア７Ａ及び再生オブジェクト７Ｂを格納しておき、ＤＶＤ８がＰＣ７に挿入されたときにサーバ１からＰＣ７へ指示し、ＰＣ７がその指示にしたがってＤＶＤ８から再生補助ソフトウェア７Ａ及び再生オブジェクト７Ｂを読み込みメモリに格納するようにしても良い。
【００２８】
また、第１の実施の形態では、教科書ページの表示画面中の欠落部分をＤＶＤ８から再生した情報により表示する例について説明したが、この再生情報は映像信号のみならず音声信号も含まれる。また、教科書の１ページ分をＤＶＤ８から再生してＰＣ７に表示するようにしても良い。
【００２９】
また、図４〜図６の各シーケンス図では、消去（または破壊）された不完全なＩＦＯファイルを修復して完全なＩＦＯファイルとし、以降のＶＯＢファイルの映像データを再生しＰＣ７に表示する例について説明したが、この他に、第２の実施の形態として、ＤＶＤ８の再生を不可にする各変形例について説明する。
即ち、第１の変形例として、ＶＯＢファイルのヘッダ部を前述したように予め消去（または破壊）して不完全なものとし、このヘッダ部を修復することにより、以降のＶＯＢファイル内の映像信号を再生してＰＣ７に表示するようにしても良い。また、ＤＶＤ８のＶＯＢファイル内の映像信号等を予め消去（または破壊）して不完全なものとし、サーバ側からの修復情報によりこの部分を修復し、ＰＣ７に表示するようにしても良い。
【００３０】
また、第２の変形例として、ＤＶＤ８のＩＦＯファイルの全てを消去（データは全て「０」；ファイルサイズは正規なものと同一サイズ）しておき、ＰＣ７からＤＶＤ８の再生要求があったときにサーバ側からＰＣ７へＩＦＯファイルを修復情報として送り、ＰＣ７がこのＩＦＯファイルに基づきＤＶＤ８のＶＯＢファイルを再生することも可能である。
次に、第３の変形例として、ＤＶＤ８のＩＦＯファイルをサイズ「０」のファイルとしておき、サーバ側からの修復情報によりＩＦＯファイルを正規なものに修復することも可能である。
さらに、第４の変形例として、ＤＶＤ８に予めＶＯＢファイルのみを格納しておき、ＰＣ７からＤＶＤ８の再生要求があった時点でサーバ側からＰＣ７へＩＦＯファイルを送ってＰＣ７がこのＩＦＯファイルに基づきＤＶＤ８のＶＯＢファイルを再生することも可能である。
【００３１】
また、第５の変形例として、ＤＶＤ８のＩＦＯファイルの物理的な配置を変えておき、サーバ側からの修復情報によりＰＣ７が正規なＩＦＯファイルに修復し、このＩＦＯファイルに基づきＤＶＤ８のＶＯＢファイルを再生することも可能である。
即ち、ＤＶＤ８のＩＦＯファイルの物理的な配置は、通常図７（ｂ）に示すように例えば、▲１▼のＶＩＤＥＯ＿ＴＳ．ＩＦＯから▲６▼のＶＴＳ＿０１＿０．ＩＦＯのように配置されている。
このような場合、ＤＶＤ８の例えば▲６▼のＶＴＳ＿０１＿０．ＩＦＯと▲１▼のＶＩＤＥＯ＿ＴＳ．ＩＦＯとを入れ替えて規格外のものとし、サーバ側からの修復情報によりＩＦＯファイルを正規なものに修復し、ＶＯＢファイルの映像データを再生することが可能である。なお、この場合、ＶＯＢファイルの物理的な配置を規格外のものとしても良く、ＶＯＢファイルとＩＦＯファイルの双方を規格外の配置にしても良い。
【００３２】
また、第６の変形例として、ＩＦＯファイル及びＶＯＢファイルの少なくとも一方を、ＶＩＤＥＯ＿ＴＳディレクトリーの配下に置かないようにＤＶＤ８を構成する。
即ち、ＤＶＤ８の論理構造は、通常は図７（ｃ）に示すように、ＶＩＤＥＯ＿ＴＳディレクトリーの配下に、ＶＩＤＥＯ＿ＴＳ．ＩＦＯやＶＩＤＥＯ＿ＴＳ．ＶＯＢ等のＩＦＯファイル及びＶＯＢファイルが置かれる構造になっている。このような場合、ＶＩＤＥＯ＿ＴＳディレクトリーの配下に、ＩＦＯファイルやＶＯＢファイル置かないようにＤＶＤ８の論理構造を変え、サーバ側からの修復情報により正規な論理フォーマットに修復することも可能である。これにより、ＰＣ７はＤＶＤ８のＶＯＢファイルの情報を再生することができる。
【００３３】
また、第７の変形例として、ＶＩＤＥＯ＿ＴＳディレクトリーの配下に置かれる、ＶＩＤＥＯ＿ＴＳ．ＩＦＯやＶＩＤＥＯ＿ＴＳ．ＶＯＢなどのＩＦＯファイル名やＶＯＢファイル名を、例えばＸＸＸ．ＹＹＹなどのようにあり得ないファイル名に変えておき、サーバ側からの修復情報により正規なファイル名に修復することも可能である。
【００３４】
また、第８の変形例として、ＤＶＤ８からファイルシステム情報（Ｆｉｌｅ  Ｓｅｔ  Ｄｅｓｒｉｐｔｏｒ，Ｆｉｌｅ  Ｉｄｅｎｔｉｆｉｅｒ  Ｄｅｓｒｉｐｔｏｒ，Ｆｉｌｅ  Ｅｎｔｒｙ，ＩＣＢなど）の一部または全てを消去し、サーバ側からの修復情報により正規なファイル名に修復することも可能である。
即ち、図７（ｄ）に示すＶＩＤＥＯ＿ＴＳ．ＩＦＯ，ＶＩＤＥＯ＿ＴＳ．ＶＯＢ，ＶＩＤＥＯ＿ＴＳ．ＢＵＰを前記ファイルシステム情報とし、これに対応するデータが各個に格納されているとき、ファイルシステム情報を消去すると、消去したファイルシステム情報に対応するデータの再生が不可となる。この場合、サーバ側から正規なファイルシステム情報をＰＣ７へ送信することで、ＰＣ７はＤＶＤ８の情報を再生することができる。
【００３５】
また、第９の変形例として、ＤＶＤ８のＩＦＯファイル及びＩＦＯファイルをＤＶＤ規格で作成するとともに、サーバ側からの修復情報（新たなＩＦＯ情報）によりＤＶＤ８の全ての映像を再生することも可能である。
即ち、ＤＶＤ８は、通常、図７（ｅ）のようにＩＦＯファイルと、データＡに相当するＶＯＢファイルとをＤＶＤ規格として作成する。こうしたＤＶＤ８の再生要求がＰＣ７からあると、サーバ側では新たなＩＦＯファイルをＰＣ７へ送る。これによりＰＣ７は、ＶＯＢファイルは勿論、新たなＩＦＯファイルにより図９（ｅ）のデータＢに相当するＶＯＢ−１ファイルの情報も再生することができ、この結果、ＤＶＤ８の全てのＶＯＢファイル（ＶＯＢ−２ファイル）を再生することができる。
【００３６】
なお、以上に説明したＤＶＤ８の映像データの再生を不可にする第１〜第９の変形例のうち、第５〜第８の変形例は、第９の変形例を除く他の変形例と組み合わせることが可能である。
このように、ＤＶＤ８を通常のプレーヤでは再生不可にして利用者に提供するとともに、こうしたＤＶＤ８がＰＣ７にセットされ、ＰＣ７から再生要求があると、サーバ側からＤＶＤ８の修復情報をＰＣ７へ送信し、ＰＣ７による再生を可能にしたものである。
【００３７】
こうしたＤＶＤ８は、前述したように本システムを提供する提供者により利用者（生徒側）へ提供されるものであるが、このようなＤＶＤ８の利用に対し前記システム提供者は適正な課金を行う必要がある。以下、第３の実施の形態では、こうした課金方法について説明する。
即ち、第１の課金方法は、ＤＶＤ１枚毎に課金する方法である。
第２の課金方法は、利用者からサーバの使用料金（月額または年間）を徴収する方法である。
第３の課金方法は、ＤＶＤを１回再生する毎に（即ち、サーバのアクセス毎に）課金を行う方法である。
【００３８】
第４の課金方法は、利用者がサーバにアクセスしたときに課金を行い、その後利用者へＤＶＤの映像を再生する方法である（料金先取り）。
第５の課金方法は、ＤＶＤ８に広告などのコンテンツを搭載することにより、広告主に課金する方法である。
第６の課金方法は、各ＤＶＤに前述したように再生補助ソフトウェア７Ａ及び再生オブジェクト７Ｂを搭載し、ＤＶＤの販売時や配布時にＤＶＤ１枚毎にライセンス料として課金する方法である。
第７の課金方法は、作成者が本システムで使用するＤＶＤを作成したときに作成者に対して課金する方法である。
第８の課金方法は、システム提供者がサーバを第三者に運営させ、第三者からソフトウェアライセンス料を徴収する方法である。
以上のような課金方法を採ることにより、システム提供者は不利益を被ることなくシステムを運営することができる。
【００３９】
図８は、本発明の第４の実施の形態を示すブロック図である。図１に示す第１の実施の形態では、サーバ１と対にサーバ２を設けているが、図８に示すように１つのサーバ２を複数のサーバ１ａ〜１ｃで共通に使用するようにしても良い。これにより１つのサーバ２で複数のサーバを一括管理できる。なお、この場合各サーバ１ａ〜１ｃにそれぞれ異なる各教科を分担させるか、或いは各サーバ１ａ〜１ｃを各学校として機能させるようにしても良い。
また、図９に示す第５の実施の形態のように、サーバ１とサーバ２とを一体化して１つのサーバ９とし、各サーバ９ａ〜９ｃにそれぞれデータベース３ａ〜３ｃを接続するように構成してもよい。この場合、各サーバ９ａ〜９ｃにそれぞれ異なる各教科を分担させるか、或いは各サーバ９ａ〜９ｃを各学校として機能させるようにしても良い。
【００４０】
【発明の効果】
以上説明したように本発明によれば、映像及び音声の各情報が格納される第１のファイル（ＶＯＢファイル）と第１のファイルの情報の再生制御情報が格納される第２のファイル（ＩＦＯファイル）とを有し、常時は情報の再生が不可のＤＶＤと、インターネットに接続されかつＤＶＤが挿入されるＰＣと、インターネットに設けられるとともに情報が再生不可のＤＶＤの情報を修復する修復情報を有するサーバとを有し、サーバはＰＣからＤＶＤの情報の再生要求を受信するとＰＣへ修復情報を返送しＤＶＤの情報を再生させるようにしたので、本システムを学習システムに適用すれば、記憶容量の大きなＤＶＤ８を教材として使用することができ、この結果、十分な学習効果を得ることができる。また、生徒側へ例えば有料で配布されたＤＶＤの情報は、通常のプレーヤでは再生不可となることから、ＤＶＤの第三者による不法な利用を阻止でき、本システムを提供する提供者の不利益を防止することができる。
【図面の簡単な説明】
【図１】  本発明に係るサービスシステムの第１の実施の形態を示すブロック図である。
【図２】  上記サービスシステムを構成するサーバ及びＰＣのブロック図である。
【図３】  上記ＰＣ及びサーバのソフトウェア構成を説明する図である。
【図４】  図１に示すシステムの各部の動作を示すシーケンス図である。
【図５】  図１に示すシステムの各部の動作を示すシーケンス図である。
【図６】  図１に示すシステムの各部の動作を示すシーケンス図である。
【図７】  ＰＣに挿入されるＤＶＤのフォーマットを示す図である。
【図８】  上記サービスシステムの第４の実施の形態を示すブロック図である。
【図９】  上記サービスシステムの第５の実施の形態を示すブロック図である。
【符号の説明】
１，２…サーバ、３…データベース、３Ａ…生徒情報データベース、３Ｂ…進捗・再生情報データベース、５…インターネット、７…ＰＣ、８…ＤＶＤ。
【図１】
0003943794.tif 000002
【図２】
0003943794.tif 000003
【図３】
0003943794.tif 000004
【図４】
0003943794.tif 000005
【図５】
0003943794.tif 000006
【図６】
0003943794.tif 000007
【図７】
0003943794.tif 000008
【図８】
0003943794.tif 000009
【図９】
0003943794.tif 000010